(57)【要約】【課題】解決しようとする問題点は、内フラップを折り曲げて重ね合せ、その外側に対向する外フラップを折り曲げて重ね合せてシールして成形される包装用紙箱の端部に、切離用ミシン線で形成した押込片を設けた場合に、強度が低下し、開封性や成形状態がわるくなるという点である。【解決手段】  天板、底板、左右一対の側板と、上記天板及び底板の前後の端縁に繋がる外フラップと、上記各側板の前後の端縁に繋がる内フラップとからなり、対向する内フラップを折り曲げ、その外側に対向する外フラップを折り曲げて重ね合せてシールして成形される包装用紙箱であって、  天板に、これと外フラップとの間の端縁を弦とする弓形の略円弧状である破断ラインを設け、かつ、  各内フラップにおける上側の端縁に、略水平方向に直線状の基部と、先端に向けて下方に傾く傾斜部とを設たことを特徴とする包装用紙箱。【選択図】図１
2009208802.tif 000002
【特許請求の範囲】
【請求項１】
天板、底板、左右一対の側板と、上記天板及び底板の前後の端縁に繋がる外フラップと、上記各側板の前後の端縁に繋がる内フラップとからなり、対向する内フラップを折り曲げ、その外側に対向する外フラップを折り曲げて重ね合せてシールして成形される包装用紙箱であって、
天板に、これと外フラップとの間の端縁を弦とする弓形の略円弧状である破断ラインを設け、かつ、
各内フラップにおける上側の端縁に、略水平方向に直線状の基部と、先端に向けて下方に傾く傾斜部とを設たことを特徴とする包装用紙箱。
【発明の詳細な説明】
【技術分野】
【０００１】
本発明は、包装用紙箱に関するものである。
【背景技術】
【０００２】
従来より、チューブ容器などを収容した六面体形状の包装用紙箱がある。また、特許文献１には、廃棄に便利な扁平状に折畳みできる折畳み式ティッシュカートンが提案されている。上記のカートンでは、底面部又は上面部にこれを分断し端面片連接縁の端間を連結する切離用ミシン線を設けて押込片ａを形成し、押込片ａを押し開いて、裏半切押罫縁を切離して容易に押倒し扁平状にすることができる（実用新案登録請求の範囲、３頁下から４〜２行、５頁４〜１０行）。
【０００３】
特許文献１記載のカートンでは、端面片を端面フラップ上に貼着するものであり、押込片ａとこれらを一緒に切離す形態のものである（第３図（ｂ）参照）。また、端面片を端面フラップ上に貼着しており端面部分の強度が比較的強く、上下方向から力が加えられた場合に、カートンの端部が変形しにくく、押込片ａを押し開く際の開封安定性もよい。
一方、包装用紙箱としては、端面片を端面フラップ（内フラップ）上に貼着せず、対向する内フラップを折り曲げ、その外側に対向する端面片（外フラップ）を折り曲げて重ね合せてシールして成形されるものがある。この紙箱の端部に前記の切離用ミシン線で形成した押込片を設けた場合、押込片を押し開く際に、押込片とこれに繋がる外フラップとを摘む状態になり、両者の間に未貼着の内フラップを一緒に挟んで摘んでしまい、開封性がわるくなるという欠点があった（詳細は段落００１３の説明を参照）。
【０００４】
一方、内フラップを挟まないように、内フラップを小さくしたり、無くした場合には、紙箱の端部の強度が低下して、上下方向から力が加えられた場合に紙箱の端部が変形しやすく、押込片を押し開く際に安定性がわるいという欠点があった。特に、内フラップの上側の端縁を、側板との間の端縁に繋がる根元の部分から、先端に向けて下方に傾く形状にすると、内フラップを上記端縁を折罫として直角に折り曲げ難く、成形状態がわるくなり、折り目が丸くなって、切離用ミシン線の両端が破れやすくなる。また、上記折り目の近傍で、内フラップと外フラップとの間に隙間ができて、ほこりなどが入りやすくなるという欠点があった。
【特許文献１】実願昭５９−７９２４５号全文明細書
【発明の開示】
【発明が解決しようとする課題】
【０００５】
解決しようとする問題点は、内フラップを折り曲げて重ね合せ、その外側に対向する外フラップを折り曲げて重ね合せてシールして成形される包装用紙箱の端部に、切離用ミシン線で形成した押込片を設けた場合に、強度が低下し、開封性や成形状態がわるくなるという点である。
【課題を解決するための手段】
【０００６】
本発明は、天板、底板、左右一対の側板と、上記天板及び底板の前後の端縁に繋がる外フラップと、上記各側板の前後の端縁に繋がる内フラップとからなり、対向する内フラップを折り曲げ、その外側に対向する外フラップを折り曲げて重ね合せてシールして成形される包装用紙箱であって、天板に、これと外フラップとの間の端縁を弦とする弓形の略円弧状である破断ラインを設け、かつ、各内フラップにおける上側の端縁に、略水平方向に直線状の基部と、先端に向けて下方に傾く傾斜部とを設たことを特徴とする包装用紙箱、を最も主要な特徴とする。
【発明の効果】
【０００７】
本発明の包装用紙箱は、内フラップを折り曲げて重ね合せ、その外側に対向する外フラップを折り曲げて重ね合せてシールして成形され、端部に切離用ミシン線で形成した押込片を設けた場合に、強度が低下し難く、良好な開封性や成形状態が得られるという利点がある。
【発明を実施するための最良の形態】
【０００８】
以下、実施例に基づいて本発明を説明するが、主旨を逸脱せず、種々の応用変形をなし得ることは勿論である。
【実施例１】
【０００９】
図１は、本発明の包装用紙箱の展開図である。図２は、本発明の包装用紙箱の概略斜視図である。図３は、本発明の包装用紙箱の開封状態を示す概略斜視図である。図４は、本発明の包装用紙箱の折畳み状態を示す概略斜視図である。
【００１０】
本発明の包装用紙箱１は、天板２、底板３、左右一対の側板４、５と、天板２の前後の端縁に繋がる外フラップ６、７と、底板３の前後の端縁に繋がる外フラップ８、９と、側板４の前後の端縁に繋がる内フラップ１０、１１と、側板５の前後の端縁に繋がる内フラップ１２、１３と、底板３の端縁に繋がるシール片１４とからなる。包装用紙箱１の素材は、例えば板紙等、種々の素材を選択し得る。なお、天板２と底板３の対抗方向を上下方向、側板４と５の対抗方向を左右方向、外フラップ６と７の対抗方向を前後方向とする。
【００１１】
内フラップ１０、１１、１２、１３における上側（天板２側）の端縁に、各々略水平方向に直線状の基部２０と、先端に向けて下方に傾く傾斜部２１を設ける。各内フラップは、基部２０において側板４、５と略同じ高さになる。天板２、底板３の左右方向の幅が４０〜５０ｍｍ程度、側板４、５の高さが１９〜２３ｍｍ程度の場合は、基部２０の長さは７〜８ｍｍ程度がよく、包装用紙箱１の大きさに合せて、各部を上記の比率の大きさで構成することができる。内フラップ１０、１１、１２、１３における下側の端縁は各々略水平方向に直線状である。内フラップ１０、１２は、折り曲げた際に両者が重ならない大きさにすることが望ましいが、一部が重ね合される大きさでもよい。内フラップ１２、１３も同様である。
【００１２】
天板２に、これと前後の外フラップ６、７との間の端縁１６、１７を弦とする弓形の略円弧状である破断ライン１８、１９を設ける。破断ライン１８、１９の各々両端は、天板２の左右の各角部に繋がる。破断ライン１８、１９は、ミシン目（点線、一点鎖線のものを含む）、切り込みなどで円弧状、台形状、山形状などに設けることができる。破断ライン１８、１９を設けることで、押込片３０、３１を形成する。破断ライン１８、１９と内フラップ１０、１１、１２、１３における上側の端縁とは、下記するように開封時に押込片で内フラップを摘むことが回避されるように、各々相対的な形状と大きさで形成するとよい。  
【００１３】
包装用紙箱１を形成する場合には、シール片１４と側板４とをシールして、天板２、底板３及び左右一対の側板４、５を相互に繋げる。また、対向する内フラップ１０、１２を、互いに接近する方向に折り曲げ、その外側に対向する外フラップ６、８を、互いに接近する方向に折り曲げて重ね合せてシールして開口部を閉塞する。外フラップ６、８は何を上にして重ねてもよいが、外フラップ８を上にする方がよい。内フラップ１１、１３、外フラップ７、９についても、同様にして開口部を閉塞する。なお、上記閉塞の間の任意の工程でチューブ容器などの内容物を収容する。本発明の包装用紙箱１は、各面の折り目が直角に折り曲げられ、角部に隙間ができ難い、成形状態の良好な六面体形状のものとなる。
なお、天板２に破断ライン１８、１９を設け、各内フラップにおける上側の端縁に基部２０及び傾斜部２１を設ける態様について説明したが、上記の相対的な位置関係が達成されれば、底板３に破断ライン１８、１９を設け、各内フラップにおける下側の端縁に基部２０及び傾斜部２１を設けてもよい。天板２及び底板３に破断ライン１８、１９を設け、各内フラップにおける上下側の端縁に基部２０及び傾斜部２１を設けてもよい。
【００１４】
次に、本発明の包装用紙箱１の作用・効果を説明する。
図３に示すように、まず、閉塞された紙箱の押込片３０を指で押して、破断ライン１８に沿って天板２を破り、破れを天板２と外フラップ６との間の端縁１６の両端に至らせて開口部を開口する。つまり、天板２から切離した押込片３０とシールされた外フラップ６、８を、底板３と外フラップ８との間の端縁を折罫として前方に折り曲げて開口部を開口する。押込片３１と外フラップ７、９についても、同時にあるいは単独で、上記の場合と同様にして開口する。紙箱１の端部に強度があり、押込片３０、３１を指で押し、破断ライン１８、１９に沿って天板２を破って、確実に開口することができる。
【００１５】
前記の場合に、例えば、親指で押込片３０を押し、人指し指で外フラップ６、８を支えると、破断ライン１８が破れた際に、親指と人指し指で押込片３０と外フラップ６、８を摘む状態になる。その際、内フラップ１０、１２における上側（天板２側）の先端部分が、天板２と同じぐらいの高さであると、この部分を押込片３０と外フラップ６、８との間に挟んで一緒に摘んでしまい、開封性がわるくなるという欠点がある。また、内フラップ１０、１２を掴んでこれらが引き裂かれると、別にゴミになってしまう問題がある。本発明では、内フラップ１０、１２における上側の端縁に、先端に向けて下方に傾く傾斜部２１を設けることで、上記の内フラップを摘む欠点が回避され、開封性と解体・廃棄のし易さが改善されるという効果を奏する。以上の作用・効果は、押込片３１、内フラップ１１、１３、外フラップ７、９についても同様である。
【００１６】
さらに、本発明では、内フラップ１０、１１、１２、１３における上側の端縁に、各々略水平方向に直線状の基部２０を設ける。これにより、閉塞時に、各々の内フラップの基部２０で天板２が支えられ、上下方向から力が加えられた場合に、包装用紙箱１の端部の強度が確保されて変形し難いという効果を奏する。同時に、包装用紙箱１の端部の強度が確保され、押込片３０、３１を指で押して破断する操作を安定になし得るという効果を奏する。
包装用紙箱１は、前記のようにして前後の開口部を開口した後、天板２、底板３及び側板４、５が同一平面になるように押倒して、簡単に扁平状にすることができる。
【産業上の利用可能性】
【００１７】
開封性が改善され、強度も確保され、簡単に製造できることから、チューブ容器等を収容するための包装用紙箱などに適用できる。
【図面の簡単な説明】
【００１８】
【図１】本発明の包装用紙箱の展開図である。
【図２】本発明の包装用紙箱の概略斜視図である。
【図３】本発明の包装用紙箱の折畳み状態を示す概略斜視図である。
【図４】本発明の包装用紙箱の折畳み状態を示す概略斜視図である。
【符号の説明】
【００１９】
１    包装用紙箱
２    天板
３    底板
４    側板
５    側板
６    外フラップ
７    外フラップ
８    外フラップ
９    外フラップ
１０    内フラップ
１１    内フラップ
１２    内フラップ傾斜部  
１３    内フラップ
１４    シール片
１６    端縁
１７    端縁
１８    破断ライン
１９    破断ライン
２０    基部
２１    傾斜部
３０    押込片
３１    押込片
【図１】
2009208802.tif 000003
【図２】
2009208802.tif 000004
【図３】
2009208802.tif 000005
【図４】
2009208802.tif 000006